【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
対象物を滅菌する滅菌装置であって、
滅菌剤を供給する供給装置と、
前記供給装置により供給された前記滅菌剤を濃縮する濃縮室と、
前記濃縮室内の前記滅菌剤を入れて溜める滅菌剤溜まり部と、
前記滅菌剤溜まり部に溜められた当該滅菌剤を用いて前記対象物を滅菌する滅菌室と、
前記滅菌剤溜まり部に溜められた当該滅菌剤が気化されて前記滅菌室に拡散するために前記滅菌剤溜まり部と前記滅菌室との間に設けられた弁と、
前記滅菌室を真空引きするための真空機器と、
を備え、
前記滅菌装置が、前記濃縮室で所定の時間濃縮された滅菌剤を用いて滅菌処理を行う濃縮モードの選択を受け付けた場合には、前記真空機器により前記滅菌室内が所定の気圧まで減圧される前に前記供給装置が前記濃縮室に前記滅菌剤を供給し、前記濃縮室に当該滅菌剤が供給されてから前記所定の時間が経過し、かつ、前記真空機器により前記滅菌室が前記所定の気圧まで減圧されるまで前記濃縮室が当該滅菌剤を濃縮し、前記濃縮室に当該滅菌剤が供給されてから所定の時間が経過し、かつ、前記真空機器により前記滅菌室内が前記所定の気圧まで減圧された後に、前記濃縮室内の濃縮された滅菌剤を前記滅菌剤溜まり部に入れ、当該滅菌剤を気化して前記滅菌室に拡散させるべく前記弁を開け、一方、前記滅菌装置が、前記濃縮室で前記所定の時間濃縮されていない滅菌剤を用いて滅菌処理を行う非濃縮モードの選択を受け付けた場合には、前記真空機器により前記滅菌室内が所定の気圧まで減圧された後に前記供給装置が前記濃縮室に前記滅菌剤を供給し、前記濃縮室に供給された当該滅菌剤を前記所定の時間、前記濃縮室が濃縮することなく、前記濃縮室内の滅菌剤を前記滅菌剤溜まり部に入れ、当該滅菌剤を気化して前記滅菌室に拡散させるべく前記弁を開けることを特徴とする滅菌装置。
【請求項２】
前記真空機器により真空引きされることで前記滅菌剤溜まり部に溜められた前記滅菌剤を気化する気化室を更に備え、
前記滅菌剤溜まり部と前記滅菌室との間に設けられた前記弁は、前記気化室と前記滅菌室との間に設けられた第１弁と、前記滅菌剤溜まり部と前記気化室との間に設けられた第２弁とから構成されており、
前記滅菌装置が、前記滅菌剤溜まり部と前記気化室との間に設けられた前記第２弁を開けて、前記滅菌剤溜まり部と、前記真空機器により真空引きされた前記気化室であって前記滅菌室と導通していない状態での前記気化室とを導通させることで、前記滅菌剤溜まり部に溜められた滅菌剤が前記気化室に吸い込まれて当該滅菌剤を気化させて、前記気化室と前記滅菌室との間に設けられた前記第１弁を開けて、前記気化室と前記真空機器により真空引きされた前記滅菌室とを導通させることで、前記気化室で気化された当該滅菌剤を前記滅菌室に拡散させることを特徴とする請求項１に記載の滅菌装置。
【請求項３】
前記濃縮モード、及び前記非濃縮モードのうち、いずれかの選択をユーザにより受け付ける表示部を更に備えることを特徴とする請求項１又は２に記載の滅菌装置。
【請求項４】
滅菌剤を供給する供給装置と、
前記供給装置により供給された前記滅菌剤を濃縮する濃縮室と、
前記濃縮室内の前記滅菌剤を入れて溜める滅菌剤溜まり部と、
前記滅菌剤溜まり部に溜められた当該滅菌剤を用いて対象物を滅菌する滅菌室と、
前記滅菌剤溜まり部に溜められた当該滅菌剤が気化されて前記滅菌室に拡散するために前記滅菌剤溜まり部と前記滅菌室との間に設けられた弁と、
前記滅菌室を真空引きするための真空機器と、を備える、前記対象物を滅菌する滅菌装置における滅菌方法であって、
前記滅菌装置が、前記濃縮室で所定の時間濃縮された滅菌剤を用いて滅菌処理を行う濃縮モードの選択を受け付けた場合には、前記真空機器により前記滅菌室内が所定の気圧まで減圧される前に前記供給装置が前記濃縮室に前記滅菌剤を供給し、前記濃縮室に当該滅菌剤が供給されてから前記所定の時間が経過し、かつ、前記真空機器により前記滅菌室が前記所定の気圧まで減圧されるまで前記濃縮室が当該滅菌剤を濃縮し、前記濃縮室に当該滅菌剤が供給されてから所定の時間が経過し、かつ、前記真空機器により前記滅菌室内が前記所定の気圧まで減圧された後に、前記濃縮室内の濃縮された滅菌剤を前記滅菌剤溜まり部に入れ、当該滅菌剤を気化して前記滅菌室に拡散させるべく前記弁を開け、一方、前記滅菌装置が、前記濃縮室で前記所定の時間濃縮されていない滅菌剤を用いて滅菌処理を行う非濃縮モードの選択を受け付けた場合には、前記真空機器により前記滅菌室内が所定の気圧まで減圧された後に前記供給装置が前記濃縮室に前記滅菌剤を供給し、前記濃縮室に供給された当該滅菌剤を前記所定の時間、前記濃縮室が濃縮することなく、前記濃縮室内の滅菌剤を前記滅菌剤溜まり部に入れ、当該滅菌剤を気化して前記滅菌室に拡散させるべく前記弁を開けることを特徴とする滅菌方法。
【手続補正２】
【補正対象書類名】明細書
【補正対象項目名】０００１
【補正方法】変更
【補正の内容】
【０００１】
本発明は、滅菌装置、滅菌方法に関する。特に、所定の時間濃縮された滅菌剤を用いた滅菌処理と、所定の時間濃縮されていない滅菌剤を用いた滅菌処理とを切り替える滅菌装置と滅菌方法に関する。
【手続補正３】
【補正対象書類名】明細書
【補正対象項目名】０００７
【補正方法】変更
【補正の内容】
【０００７】
本発明の目的は、所定の時間濃縮された滅菌剤を用いた滅菌処理と、所定の時間濃縮されていない滅菌剤を用いた滅菌処理とを、滅菌プロセスを変えることなく、切り替えることができる仕組みを提供することである。
【手続補正４】
【補正対象書類名】明細書
【補正対象項目名】０００８
【補正方法】変更
【補正の内容】
【０００８】
本発明は、対象物を滅菌する滅菌装置であって、滅菌剤を供給する供給装置と、前記供給装置により供給された前記滅菌剤を濃縮する濃縮室と、前記濃縮室内の前記滅菌剤を入れて溜める滅菌剤溜まり部と、前記滅菌剤溜まり部に溜められた当該滅菌剤を用いて前記対象物を滅菌する滅菌室と、前記滅菌剤溜まり部に溜められた当該滅菌剤が気化されて前記滅菌室に拡散するために前記滅菌剤溜まり部と前記滅菌室との間に設けられた弁と、前記滅菌室を真空引きするための真空機器と、を備え、前記滅菌装置が、前記濃縮室で所定の時間濃縮された滅菌剤を用いて滅菌処理を行う濃縮モードの選択を受け付けた場合には、前記真空機器により前記滅菌室内が所定の気圧まで減圧される前に前記供給装置が前記濃縮室に前記滅菌剤を供給し、前記濃縮室に当該滅菌剤が供給されてから前記所定の時間が経過し、かつ、前記真空機器により前記滅菌室が前記所定の気圧まで減圧されるまで前記濃縮室が当該滅菌剤を濃縮し、前記濃縮室に当該滅菌剤が供給されてから所定の時間が経過し、かつ、前記真空機器により前記滅菌室内が前記所定の気圧まで減圧された後に、前記濃縮室内の濃縮された滅菌剤を前記滅菌剤溜まり部に入れ、当該滅菌剤を気化して前記滅菌室に拡散させるべく前記弁を開け、一方、前記滅菌装置が、前記濃縮室で前記所定の時間濃縮されていない滅菌剤を用いて滅菌処理を行う非濃縮モードの選択を受け付けた場合には、前記真空機器により前記滅菌室内が所定の気圧まで減圧された後に前記供給装置が前記濃縮室に前記滅菌剤を供給し、前記濃縮室に供給された当該滅菌剤を前記所定の時間、前記濃縮室が濃縮することなく、前記濃縮室内の滅菌剤を前記滅菌剤溜まり部に入れ、当該滅菌剤を気化して前記滅菌室に拡散させるべく前記弁を開けることを特徴とする。
【手続補正５】
【補正対象書類名】明細書
【補正対象項目名】０００９
【補正方法】変更
【補正の内容】
【０００９】
また、本発明は、滅菌剤を供給する供給装置と、前記供給装置により供給された前記滅菌剤を濃縮する濃縮室と、前記濃縮室内の前記滅菌剤を入れて溜める滅菌剤溜まり部と、前記滅菌剤溜まり部に溜められた当該滅菌剤を用いて対象物を滅菌する滅菌室と、前記滅菌剤溜まり部に溜められた当該滅菌剤が気化されて前記滅菌室に拡散するために前記滅菌剤溜まり部と前記滅菌室との間に設けられた弁と、前記滅菌室を真空引きするための真空機器と、を備える、前記対象物を滅菌する滅菌装置における滅菌方法であって、前記滅菌装置が、前記濃縮室で所定の時間濃縮された滅菌剤を用いて滅菌処理を行う濃縮モードの選択を受け付けた場合には、前記真空機器により前記滅菌室内が所定の気圧まで減圧される前に前記供給装置が前記濃縮室に前記滅菌剤を供給し、前記濃縮室に当該滅菌剤が供給されてから前記所定の時間が経過し、かつ、前記真空機器により前記滅菌室が前記所定の気圧まで減圧されるまで前記濃縮室が当該滅菌剤を濃縮し、前記濃縮室に当該滅菌剤が供給されてから所定の時間が経過し、かつ、前記真空機器により前記滅菌室内が前記所定の気圧まで減圧された後に、前記濃縮室内の濃縮された滅菌剤を前記滅菌剤溜まり部に入れ、当該滅菌剤を気化して前記滅菌室に拡散させるべく前記弁を開け、一方、前記滅菌装置が、前記濃縮室で前記所定の時間濃縮されていない滅菌剤を用いて滅菌処理を行う非濃縮モードの選択を受け付けた場合には、前記真空機器により前記滅菌室内が所定の気圧まで減圧された後に前記供給装置が前記濃縮室に前記滅菌剤を供給し、前記濃縮室に供給された当該滅菌剤を前記所定の時間、前記濃縮室が濃縮することなく、前記濃縮室内の滅菌剤を前記滅菌剤溜まり部に入れ、当該滅菌剤を気化して前記滅菌室に拡散させるべく前記弁を開けることを特徴とする。
【手続補正６】
【補正対象書類名】明細書
【補正対象項目名】００１０
【補正方法】変更
【補正の内容】
【００１０】
本願発明により、所定の時間濃縮された滅菌剤を用いた滅菌処理と、所定の時間濃縮されていない滅菌剤を用いた滅菌処理とを、滅菌プロセスを変えることなく、切り替えることができる。
【手続補正７】
【補正対象書類名】明細書
【補正対象項目名】０１４５
【補正方法】変更
【補正の内容】
【０１４５】
ステップＳ７０６では、濃縮炉２０８は、図１０に示すように、濃縮炉２０８の下部にヒータが設けられており、このヒータの熱により、滅菌剤が加熱される。滅菌剤が過酸化水素水溶液の場合、このヒータの熱により、水が気化される。そして、気化した水は、気送加圧ポンプ２０９から導管を通して送り込まれる空気により、排気用ＨＥＰＡフィルタ２２１に導通している導管に押し出され、濃縮炉２０８内から排気される。これにより、滅菌剤（過酸化水素水溶液）が濃縮される。
図７で説明した通り、ステップＳ７１０で、濃縮炉２０８内の滅菌剤は、計量管２１４内に入る。
この計量管２１４は、図１０に示すように、直管部１００１と枝管部１００２とから構成されている。
直管部１００１は、直線の管状の部分である。直管部１００１の管は、重力方向に配置されている。
また、枝管部１００２は、直管部１００１の中間部又は上部から、枝状に延びた管状の部分である。
直管部１００１は、直管部の軸心と、枝管部１００２の軸心とが垂直になる様に据え付けられる。
【手続補正８】
【補正対象書類名】明細書
【補正対象項目名】０１４６
【補正方法】変更
【補正の内容】
【０１４６】
このような構成にしているため、濃縮炉２０８から入ってきた滅菌剤は、計量管２１４内の直管部１００１に溜まるように構成されている。直管部１００１に滅菌剤が溜まる部分を滅菌剤溜まり部１００３と言う。
【手続補正９】
【補正対象書類名】明細書
【補正対象項目名】０１４９
【補正方法】変更
【補正の内容】
【０１４９】
そして、ステップＳ７１４で弁（Ｖ２）を開けることで、滅菌剤溜まり部１００３に溜まっていた滅菌剤が、気化炉２１６に吸い込まれて、気化する。図１０に示すように、気化炉２１６の上部から液体の滅菌剤が気化炉２１６に入ることで、滅菌剤が気化しやすい。
【手続補正１０】
【補正対象書類名】図面
【補正対象項目名】図７
【補正方法】変更
【補正の内容】
【図７】
2014155860.tif 000001